(57)【要約】【課題】中継網と加入者端末装置間のデータ転送において、上り・下りの何れ方向においてもデータの紛失が生じることなく、且つ短時間で現用予備の切替えを行うことができるフレームリレー・プロトコル処理部の現用予備切替手段を有するフレームリレー交換機を提供する。【解決手段】制御部７からの切替指示により論理番号と物理番号が書替えられる送信（加入者端末装置→中継用回線部）用の論理−物理変換テーブル１０と、フレームデータに識別子を付与するとともに現用／予備系のフレームリレー・プロトコル処理部２−１〜２−ｎに転送する識別子付与部１３と、フレームデータを分離して多重部３へ送信するフレームリレー・プロトコル処理部２−１〜２−ｎと、現用系からのデータ取り込みから予備系からのデータに切替える多重部３を有するフレームリレー交換機。【選択図】    図１
2004221783.tif 000002
【特許請求の範囲】
【請求項１】
複数の現用系と任意数の予備系とからなり、それぞれセルデータをフレーム化し、且つフレームデータをセル化する複数のフレームリレー・プロトコル処理部を有し、加入者端末装置との間はフレームデータにより送受信し、ネットワークを介した交換機間はセルデータとして送受信するフレームリレー交換機において、
前記加入者端末装置と前記フレームリレー・プロトコル処理部間の速度調整を行なうとともに前記フレームリレー交換機の制御部からの現用予備切替指示により、フレームデータに識別子を付加して、現用系および予備系のフレームリレー・プロトコル処理部の両方に転送するフレーム処理部と、
識別子が付加されたフレームデータをセル化し、セルスイッチ部を介して中継回線へ送出した後、予備系フレームリレー・プロトコル処理部へ通知する現用系フレームリレー・プロトコル処理部と、
前記現用系フレームリレー・プロトコル処理部から通知された識別子以降のセル化したデータを送出する予備系フレームリレー・プロトコル処理部と、
前記フレームデータの交換接続を行なう時分割スイッチ部と、
前記セルデータの多重化及び多重分離を行なうとともに前記予備系フレームリレープロトコル処理部からのデータの取り込みを行なう多重部と、
前記セルデータの交換接続を行なうセルスイッチ部とを設けることを特徴とするフレームリレー交換機。
【請求項２】
請求項１に記載のフレームリレー交換機において、
前記多重部は、多重分離したセルデータの論理番号と、該セルデータを転送するフレームリレー・プロトコル処理部の物理番号とを対応させた論理−物理変換テーブルを送信用・受信用の２面を備え、前記制御部からの現用予備の切替指示により前記受信用論理−物理変換テーブルにおける現用系フレームリレー・プロトコル処理部の物理番号対応の論理番号と、予備系フレームリレー・プロトコル処理部の物理番号対応の論理番号とを同一とし、該論理番号に従ったセルデータにコピー表示を付加して、前記現用系フレームリレー・プロトコル処理部と前記予備系フレームリレー・プロトコル処理部との両方に転送する手段と、
前記フレーム処理部からの識別子を含むフレームデータを前記現用系フレームリレー・プロトコル処理部と前記予備系フレームリレー・プロトコル処理部との両方に転送し、該フレームデータをセル化送信完了を契機に前記送信用論理−物理変換テーブルを書き換える手段を設けることを特徴とするフレームリレー交換機。
【請求項３】
請求項１又は２に記載のフレームリレー交換機において、
前記現用系フレームリレー・プロトコル処理部は、識別子が付加されたフレームデータをセル化し、送信完了した時に、前記予備系フレームリレー・プロトコル処理部に、セル化送信完了を示す識別子を転送する手段を有することを特徴とするフレームリレー交換機。
【請求項４】
セルデータをフレーム化し、且つフレームデータをセル化するフレームリレー・プロトコル処理部の現用予備切替方法において、
現用予備の切替指示により、現用系フレームリレー・プロトコル処理部と予備系フレームリレー・プロトコル処理部との両方に、識別子を付加したフレームデータを転送するステップと、
前記識別子が付加されたフレームデータによるセル分解・送信が完了した時点で、前記現用系フレームリレー・プロトコル処理部と前記予備系フレームリレー・プロトコル処理部との処理動作を切換えるステップを含むことを特徴とする現用予備切替方法。
【発明の詳細な説明】
【０００１】
【発明の属する技術分野】
本発明は、フレームリレー交換機及びその現用予備切替方法に係り、特に、セルデータをフレーム化し、且つフレームデータをセル化する現用予備のフレームリレー・プロトコル処理部を有するフレームリレー交換機において、中継網から加入者端末装置へのデータ転送と、加入者端末から中継網へのデータ転送の何れの転送においても、転送データの紛失が生じることなく現用予備の切替えができるようにした現用予備切替手段を有するフレームリレー交換機及びその現用予備切替方法に関する。
【０００２】
加入者端末装置との間はフレームデータにより送受信し、ネットワークを介した交換機間はセルデータとして高速転送するシステムが知られている。
このようなシステムにおけるフレームリレー交換機は、フレームデータを分割してセル化し、又セルデータを組立ててフレーム化するフレームリレー・プロトコル処理部を備えており、例えば、Ｎ（Ｎ＝任意の整数）個の現用系フレームリレー・プロトコル処理部に対して、Ｍ（Ｍ＝任意の整数）個の予備系フレームリレー・プロトコル処理部を設け、現用系の障害発生時や保守時において、現用系フレームリレー・プロトコル処理部から予備系フレームリレー・プロトコル処理部に切替えることになる。その場合の現用予備の切替えにおいて、転送データの紛失等が生じないようにすることが要望されている。
【０００３】
【従来の技術】
図４はシステム構成の説明図であり、２０，３０はフレームリレー交換機、４０はＡＴＭ網、２１，３１は時分割スイッチ部、２２，３２はＮ対Ｍの現用予備の冗長構成のフレームリレー・プロトコル処理部、２３，３３は多重部、２４，３４はセルスイッチ部、２５，３５は中継用回線部、２６，３６は加入者端末装置を示す。
【０００４】
ＡＴＭ（Ａｓｙｎｃｈｒｏｎｏｕｓ  Ｔｒａｎｓｆｅｒ  Ｍｏｄｅ  ；非同期転送モード）網４０を介してフレームリレー交換機２０，３０が接続された場合を示し、フレームリレー交換機２０，３０は、加入者端末装置２６，３６との間のフレームデータの交換接続を行う時分割スイッチ部２１，３１と、フレームデータとセルデータとの間の変換を行うフレームリレー・プロトコル処理部２２，３２と、セルデータの多重化及び多重分離を行う多重部２３，３３と、セルデータの交換接続を行うセルスイッチ部２４，３４と、中継用回線部２５，３５とを備えている。
【０００５】
フレームリレー・プロトコル処理部２２，３２は、Ｎ個の現用系とＭ個の予備系とを有するＮ対Ｍの現用予備構成とするもので、Ｎ，Ｍはシステム規模に対応して任意の整数に選定される。
このＮ対Ｍの現用予備構成のフレームリレー・プロトコル処理部２２，３２は、ＡＴＭセル等のセルデータと、可変長フレーム等のフレームデータとの変換処理を行うものであり、現用予備の切替えは、時分割スイッチ部２１，３１と多重部２３，３３とを制御して行うもので、従来は、次のような切替方法が採用されていた。
【０００６】
即ち、第１の方法は、障害発生時のみ障害発生の現用系を予備系に切替える。この場合、転送データの紛失等は保証しない。
又第２の方法は、対向するフレームリレー交換機のフレームリレー・プロトコル処理部に対して送信規制を行い、受信停止の状態の時に現用系を予備系に切替える。
【０００７】
又第３の方法は、加入者端末装置２６，３６に輻輳規制をかけて送信を停止させ、フレームリレー交換機内に滞留するデータを送出した後に、現用系を予備系に切替える。
又第４の方法は、切替中に中継網からのセルデータにコピー表示を行い、現用系・予備系の両方に転送し、フレーム組み立てを契機に現用系を予備系に切替える（例えば、特許文献１参照）。
【０００８】
【特許文献１】
特開平９−３２１７７３号公報
【０００９】
【発明が解決しようとする課題】
従来の現用予備切替方法では、次のような問題点があった。
前述の従来例の第１の方法は、障害発生以外は現用予備の切替えを行わないことを前提としており、障害発生時には、転送データの欠落が発生することは止むを得ないとして、強制的に現用予備の切替えを行うものである。従って、現用系の保守時や予備系の正常性の確認を行う場合の現用予備の切替えができないものであった。
【００１０】
又第２の方法は、自フレームリレー交換機内の現用予備切替えにおいても、対向するフレームリレー交換機に対して送信規制をかける必要があり、総てのフレームリレー・プロトコル処理部の切替準備の処理が完了するまで、現用予備の切替えができない問題があった。
又第３の方法は、加入者端末装置２６，３６に輻輳制御機能を備えていない構成の場合もあり、この場合は、現用予備切替時点の輻輳規制をかけることができないことになり、又輻輳制御機能を備えている場合でも、対向フレームリレー交換機側からのデータが停止していないので、転送データの紛失確率が低くなるだけで、転送データの紛失が生じる可能性がある問題があった。
【００１１】
又第４の方法は、中継網から加入者端末装置へのデータには有効であるが、加入者端末から中継網方路については、切替え前に現用系フレームリレー・プロトコル処理部に滞留しているデータを全て履きださせる為の時間を待つ必要があるため、切替え時間が長くかかってしまう欠点があった。
本発明は、上記の問題点を解消するためになされたもので、フレームリレー・プロトコル処理部の現用予備の切替えにおいて、転送データの紛失を無くし、短時間で行うことを目的とする。
【００１２】
【課題を解決するための手段】
上記課題を解決するための第１の発明は、複数の現用系と任意数の予備系とからなり、それぞれセルデータをフレーム化し、且つフレームデータをセル化する複数のフレームリレー・プロトコル処理部を有し、加入者端末装置との間はフレームデータにより送受信し、ネットワークを介した交換機間はセルデータとして送受信するフレームリレー交換機において、前記加入者端末装置と前記フレームリレー・プロトコル処理部間の速度調整を行なうとともに前記フレームリレー交換機の制御部からの現用予備切替指示により、フレームデータに識別子を付加して、現用系および予備系のフレームリレー・プロトコル処理部の両方に転送するフレーム処理部と、識別子が付加されたフレームデータをセル化し、セルスイッチ部を介して中継回線へ送出した後、予備系フレームリレー・プロトコル処理部へ通知する現用系フレームリレー・プロトコル処理部と、前記現用系フレームリレー・プロトコル処理部から通知された識別子以降のセル化したデータを送出する予備系フレームリレー・プロトコル処理部と、前記フレームデータの交換接続を行なう時分割スイッチ部と、前記セルデータの多重化及び多重分離を行なうとともに前記予備系フレームリレープロトコル処理部からのデータの取り込みを行なう多重部と、前記セルデータの交換接続を行なうセルスイッチ部とを設ける。
【００１３】
この第１の発明によれば、識別子を付加したフレームデータによりセル分解・送信完了時点で現用予備の切替えを行うことから、転送データの紛失が生じないフレームリレー交換機を提供できる。また、自フレームリレー交換機内における制御処理のみで、現用予備の切替えの制御が可能であることから、ネットワーク構成による影響を受けることなく、現用予備の切替えが可能となるフレームリレー交換機を提供できる。
【００１４】
第２の発明は、第１の発明に記載のフレームリレー交換機において、前記多重部は、多重分離したセルデータの論理番号と、該セルデータを転送するフレームリレー・プロトコル処理部の物理番号とを対応させた論理−物理変換テーブルを送信用・受信用の２面を備え、前記制御部からの現用予備の切替指示により前記受信用論理−物理変換テーブルにおける現用系フレームリレー・プロトコル処理部の物理番号対応の論理番号と、予備系フレームリレー・プロトコル処理部の物理番号対応の論理番号とを同一とし、該論理番号に従ったセルデータにコピー表示を付加して、前記現用系フレームリレー・プロトコル処理部と前記予備系フレームリレー・プロトコル処理部との両方に転送する手段と、前記フレーム処理部からの識別子を含むフレームデータを前記現用系フレームリレー・プロトコル処理部と前記予備系フレームリレー・プロトコル処理部との両方に転送し、該フレームデータをセル化送信完了を契機に前記送信用論理−物理変換テーブルを書き換える手段を設ける。
【００１５】
この第２の発明によれば、多重部に備える論理−物理変換テーブルに送信用、受信用の２面を持つことにより、転送データの紛失を生じることなく、且つ短時間で現用予備の切替えが可能となるフレームリレー交換機を提供できる。
第３の発明は、第１又は第２の発明に記載のフレームリレー交換機において、前記現用系フレームリレー・プロトコル処理部は、識別子が付加されたフレームデータをセル化し、送信完了した時に、前記予備系フレームリレー・プロトコル処理部に、セル化送信完了を示す識別子を転送する手段を有する。
【００１６】
この第３の発明によれば、切替えが失敗しても、現用系に切戻して、フレームデータの送出を継続できるフレームリレー交換機を提供できる。
第４の発明は、セルデータをフレーム化し、且つフレームデータをセル化するフレームリレー・プロトコル処理部の現用予備切替方法において、現用予備の切替指示により、現用系フレームリレー・プロトコル処理部と予備系フレームリレー・プロトコル処理部との両方に、識別子を付加したフレームデータを転送するステップと、前記識別子が付加されたフレームデータによるセル分解・送信が完了した時点で、前記現用系フレームリレー・プロトコル処理部と前記予備系フレームリレー・プロトコル処理部との処理動作を切換えるステップを含む。
【００１７】
この第４の発明によれば、転送データの紛失を生じることなく、且つ短時間で現用予備の切替えが可能となり、且つその切替えが失敗しても、現用系に切戻して、フレームデータの送出を継続できる現用予備切替え方法を提供できる。
【００１８】
【発明の実施の形態】
以下、本発明の実施の形態について、図を参照しながら説明する。
なお、全図を通じて理解を容易とするために同様箇所には、同一符号を付して示すものとする。
図１は本発明の実施の形態のシステム構成説明図であり、フレームリレー交換機の要部を示し、１は時分割スイッチ部、２−１〜２−ｎはフレームリレー・プロトコル処理部、３は多重部、４はセルスイッチ部、５は中継用回線部、６はフレーム処理部、７は制御部、８は加入者端末装置、９はセル−フレーム変換部、１０は論理−物理変換テーブル、１１ａ，１１ｂはコピー表示を付加したセルデータ、１２はコピー表示識別部（☆）、１３は識別子付加部、１４は識別子処理部（◎）である。
【００１９】
フレームリレー交換機は、図４に示す従来例とほぼ同様な構成を有し、フレームリレー・プロトコル処理部２−１〜２−ｎのＮ個を現用系、Ｍ個を予備系（Ｎ＞Ｍ）とするものであり、又論理−物理変換テーブル１０は、フレームリレー・プロトコル処理部２−１〜２−ｎに割付けた物理番号と、多重部３から多重分離してセルデータを分配するフレームリレー・プロトコル処理部２−１〜２−ｎの論理番号とを対応して示すテーブルであり、制御部７からの制御による論理番号の書換えにより、多重分離したセルデータを転送するフレームリレー・プロトコル処理部を指定することができる。
【００２０】
又フレームリレー・プロトコル処理部２−１〜２−ｎは、セル−フレーム変換部９と、コピー表示識別部１２、識別子処理部等を含み、セル−フレーム変換部９は、フレームデータにフレーム識別子を付加して分解し、例えば、４８バイトに分割してそれに５バイトのヘッダ部を付加してセル化し、このセルデータを送出する機能及びセルデータのヘッダ部及びフレーム識別子或いはコピー表示を除去して組立てることによりフレーム化し、このフレームデータを送出する機能を備えている。コピー表示識別部１２は、セルデータに付加されたコピー表示を識別するものである。
【００２１】
又識別子処理部１４はフレームデータに識別子が付与されているかを判定し、付与されている場合、該フレームのセル分解・送信が完了したら予備系への識別子通知、多重部３への送信完了通知の機能を有する。このコピー表示識別部１２、識別子処理部１４の機能は、セル−フレーム変換部９に設けることができる。通常の動作に於いては、中継用回線部５とセルスイッチ部４とを介して入力されたセルデータを多重部３に於いて多重分離し、論理−物理変換テーブル１０の内容を参照して、セルデータをフレームリレー・プロトコル処理部２−１〜２−ｎに転送する。加入者端末装置８からのフレームデータも時分割スイッチ部１、フレーム処理部６を介して、フレームリレー・プロトコル処理部２−１〜２−ｎからのセルデータについても同様に論理−物理変換テーブル１０の内容を参照して取り込み多重化されてセルスイッチ部４と中継用回線部５を介してＡＴＭ中継網に転送される。その場合のセルデータに対してはコピー表示を付加しないので、フレームリレー・プロトコル処理部２−１〜２−ｎのコピー表示識別部１２は機能しないことになり、識別子処理部１４についてもフレームデータに識別子が付与されていないので機能しないことになる。
【００２２】
図２は本発明の実施の形態のシーケンス説明図であり、加入者端末装置８と、制御部７と、時分割スイッチ部１と、フレーム処理部６と、フレームリレー・プロトコル処理部２−１〜２−ｎの現用系と予備系と、多重部３と、中継用回線部５とを示し、フレームリレー・プロトコル処理部２−１〜２−ｎは処理部として表示している。
【００２３】
現用系のフレームリレー・プロトコル処理部２−１〜２−ｎの障害，保守，予備系の正常性確認等により、制御部７から切替元のフレームリレー・プロトコル処理部２−１〜２−ｎと、切替先のフレームリレー・プロトコル処理部２−１〜２−ｎとを指定した現用予備の切替指示が多重部３に加えられ、論理−物理変換テーブル１０が書換えられる。
【００２４】
受信側の動作については、前記特許文献１に示す動作を行うため詳細な手順については省略し、送信側の動作について以降に述べる。
現用系のフレームリレー・プロトコル処理部２−１〜２−ｎを切替える際、事前に制御部７よりフレーム処理部６に識別子付与指示を行い、以降にフレーム処理部６の識別子付加部１３において、加入者端末装置８から時分割スイッチ部１を経由して転送されるフレームデータに対して識別子を付与する。又、制御部７より時分割スイッチ部１に対してパス設定変更を行い、フレーム処理部６からのフレームデータを時分割スイッチ部１を介して現用系のフレームリレー・プロトコル処理部２−１〜２−ｎと、予備系のフレームリレー・プロトコル処理部２−１〜２−ｎにマルチキャスト転送する状態にする。
【００２５】
上記のようなデータ転送ルートを確立した後、制御部７は多重部３に対して、切替元のフレームリレー・プロトコル処理部２−１〜２−ｎと、切替先のフレームリレー・プロトコル処理部２−１〜２−ｎとを指定した現用予備の切替指示を行う。多重部３では切替え指示を受けたら、内部の論理−物理変換テーブル１０のうち、受信側のみ書き換え、送信側についてはこの時点でのテーブルの書き換えは行わず、現用系フレームリレー・プロトコル処理部２−１〜２−ｎからのセル送信完了待ち状態とする。
【００２６】
予備系フレームリレー・プロトコル処理部２−１〜２−ｎでは、現用系フレームリレー・プロトコル処理部２−１〜２−ｎと同様なフレームデータを時分割スイッチ部１を介して受信し、セル化されて多重部３に送出されるが、多重部３では論理−物理変換テーブル１０が書き換えられていないため、受け取られない。現用系フレームリレー・プロトコル処理部２−１〜２−ｎでは内部の識別処理部１４にて時分割スイッチ部１から転送されるフレームデータの識別子の有無を判定し、付与されていたら内部のセル−フレーム変換部９に通知し、セル−フレーム変換部９でセル化し、多重部３に該セルデータを送信する。該フレームの全てのセルの送信が完了したら、予備系フレームリレー・プロトコル処理部２−１〜２−ｎに識別子の通知し、応答を待つとともに、多重部３に対してセル送信完了を通知する。通常であれば、送信完了のデータはリソースから解放するが、切替え動作中においては、予備系フレームリレー・プロトコル処理部２−１〜２−ｎからの応答があるまで、保留する。これは、予備系フレームリレー・プロトコル処理部２−１〜２−ｎの故障等により切替えが失敗（ＮＧ応答）になった場合に切り戻す必要があるためである。
【００２７】
多重部３では現用系フレームリレー・プロトコル処理部２−１〜２−ｎからのセル送信完了を受信すると、論理−物理変換テーブル１０のうち、送信用テーブルを書き換えて、以降のセルデータを予備系フレームリレー・プロトコル処理部２−１〜２−ｎから取り込む。
図３は本発明の実施の形態の論理−物理変換テーブルの説明である。例えば、現用系の切替元のフレームリレー・プロトコル処理部２−２から予備系の切替先のフレームリレー・プロトコル処理部２−ｎに切替える場合、論理−物理変換テーブル１０の内容は、図３の（ａ）に示すように、物理番号０〜ｎ−１に対して論理番号が設定されており、例えば、物理番号１のフレームリレー・プロトコル処理部２−２の論理番号が５、物理番号ｎ−１のフレームリレー・プロトコル処理部２−ｎの論理番号が８に設定されている場合、制御部７からの切替指示により、物理−論理変換テーブル１０は、図３の（ｂ）、（ｃ）、（ｄ）と遷移していく。
【００２８】
図３の（ｂ）は切替え指示直後の例で、まず受信側テーブルのみが変更されている状態を示し、予備系の切替先のフレームリレー・プロトコル処理部２−ｎの論理番号が、現用系の切替元のフレームリレー・プロトコル処理部２−２の論理番号と同一の５に書換えられる。これは中継用回線部５、セルスイッチ部４を介して転送されてくるＡＴＭ網からのセルデータを現用系フレームリレー・プロトコル処理部２−２と予備系フレームリレー・プロトコル処理部２−ｎ  の両方に転送させるためであり、その必要性については特願平８−１３６２３８による。
【００２９】
多重部３は現用系の切替元のフレームリレー・プロトコル処理部２−ｎからセル送信完了を受信したあと、論理−物理変換テーブル１０の送信側テーブルを書き換えることにより、現用系の切替元のフレームリレー・プロトコル処理部２−ｎから受信していたセルデータを予備系の切替先のフレームリレー・プロトコル処理部２−ｎに切り替えて受信することになる。
【００３０】
セル送信完了の通知の例としては、ＡＴＭセルの５バイトのヘッダ部の仮想パス識別子（ＶＰＩ）と仮想チャネル識別子（ＶＣＩ）とを利用するか、又はペイロード・タイプ（ＰＴ）の予備用を利用するか、或いは、フレームリレー交換機内に於いて付加した１バイトの付加データを利用することができる。この場合、多重部３で追加した情報を除去してセルスイッチ部４に転送する必要がある。
【００３１】
図３（ｃ）は現用系の切替元のフレームリレー・プロトコル処理部２−ｎ  からセル送信完了を受信した後の論理−物理変換テーブル１０の例であり、送信側テーブルが現用系の切替元のフレームリレー・プロトコル処理部２−２が、予備系の切替先のフレームリレー・プロトコル処理部２−ｎ  の論理番号だった８に書き換えられ、予備系の切替先のフレームリレー・プロトコル処理部２−ｎ  が、現用系の切替元のフレームリレー・プロトコル処理部２−２の論理番号だった５に書き換えられている。
【００３２】
多重部３は受信側の動作については省略するが、一連の送受信動作が終了すると、制御部７に対して応答を返送する。切替え後の論理−物理変換テーブル１０は、図３（ｄ）に示す如く、現用系の切替元のフレームリレー・プロトコル処理部２−ｎ  の論理番号と、予備系の切替先のフレームリレー・プロトコル処理部２−ｎ  の論理番号が送信テーブル、受信テーブルともに切替え前の番号とそっくり入れ替わった状態となる。
【００３３】
制御部７は、多重部３から応答を受け取ると、フレーム処理部６に対して識別子付与の解除を支持するとともに、時分割スイッチ部１のパス設定を変更して、新予備系フレームリレー・プロトコル処理部２−ｎ  へのパスを削除する。
【００３４】
【発明の効果】
以上説明したように、本発明は、Ｎ対Ｍの現用予備構成のフレームリレー・プロトコル処理部２−１〜２−ｎの現用予備切替えにおいて、多重部に備える論理−物理変換テーブルに送信用と受信用の２面を持つことにより、転送データの紛失を生じることなく、短時間で現用予備の切替が可能となり、且つその切替えが失敗しても、現用系に切戻して、フレームデータの送出を継続することができる。また、自フレームリレー交換機内における制御処理のみで、現用予備の切替えの制御が可能である。その結果、ネットワーク構成による影響を受けることなく、作業効率の良い現用予備切替方法を提供できる。
【図面の簡単な説明】
【図１】本発明の一実施形態におけるシステム構成説明図である。
【図２】本発明の一実施形態におけるシーケンス説明図である。
【図３】本発明の一実施形態における論理−物理変換テーブルの説明図である。
【図４】ＡＴＭ網に接続されるフレームリレー交換機の構成図である。
【符号の説明】
１  時分割スイッチ部
２−１〜２−ｎ  フレームリレー・プロトコル処理部
３  多重部
４  セルスイッチ部
５  中継用回線部
６  フレーム処理部
７  制御部
８  加入者端末装置
９  セル−フレーム変換部
１０  論理−物理変換テーブル
１１  コピー付加
１２  コピー表示識別部
１３  識別子付加部
１４  識別子処理部
２０  フレームリレー交換機
２１  時分割スイッチ部
２２  フレームリレープロトコル処理部
２３  多重部
２４  セルスイッチ部
２５  中継用回線部
２６  加入者端末装置
３０  フレームリレー交換機
３１  時分割スイッチ部
３２  フレームリレープロトコル処理部
３３  多重部
３４  セルスイッチ部
３５  中継用回線部
３６  加入者端末装置
４０  ＡＴＭ網
【図１】
2004221783.tif 000003
【図２】
2004221783.tif 000004
【図３】
2004221783.tif 000005
【図４】
2004221783.tif 000006